(57)【特許請求の範囲】
【請求項１】
略Ｕ字形をなすことによって形成される挟み込み部へ薄物たる被クリップ体を挟み込み可能なクリップ本体と、そのクリップ本体の開口側が弧を描くように回動可能および回動停止可能であるように固定するクリップ固定体とで設けられてなるクリップ構造であって、前記クリップ固定体を一体または別体で一体に固定する筆記用具類であるクリップ被固定体が設けられると共に、前記クリップ本体がクリップ被固定体面に対し垂直な方向を支持軸として回動するように構成され、さらに、クリップ固定体に対してクリップ本体は、標準の回動停止位置としての標準位置を備えるとともに、その標準位置に対して９０度および／または−９０度の回動が可能であるように形成されてなるクリップ構造。
【請求項２】
クリップ固定体は、クリップ本体に対する回動停止位置を非連続であるように形成した請求項１に記載のクリップ構造。
【請求項３】
クリップ本体またはクリップ固定体の何れか一方にギヤを、他方に前記ギヤの歯先と噛み合うギヤ受け部が設けられることによって回動および回動停止が達成されると共に、ギヤ受け部側には、ギヤを挿入可能なギヤ出入り孔と、そのギヤ出入り孔に連続したギヤより小径のギヤ回動孔が設けられ、ギヤはギヤ出入り孔から挿入され、ギヤ回動孔へ移動させることによって、ギヤがギヤ回動孔に位置した場合に抜出が防止可能となる請求項１に記載のクリップ構造。
【発明の詳細な説明】
【０００１】
【発明の属する技術分野】
本発明は、例えば筆記具において用いられるクリップに関するものである。
【０００２】
【先行技術】
筆記具に備えられているクリップに関しては、従来から様々な技術が提供されている。
例えば、実開昭５６−５６８４号に開示される「クリップの取り付け構造」は、万年筆において筆記していないキャップされた状態と、筆記する状態とにおいてクリップの位置を変えることができることを特徴とする。
【０００３】
【発明が解決しようとする課題】
筆記していない状態においてクリップの向きを変えたい、特に筆記具の軸方向とクリップとが９０度などになるように回転させて使用したいという要望があったが、これに応える先行技術は存在しなかった。上述の要望は、筆記具に限られることではなく、クリップによって何かをクリッピングしたり、クリッピングすることによって何かへ固定したりする小物については、要望されることであった。ここで、請求項１から請求項３記載の発明の目的は、クリップの向きを回転させて使用可能な筆記用具類のクリップ構造に関する技術を提供することである。
【０００４】
【課題を解決するための手段】
本発明は、上記した課題を解決するための手段を提供する。
【０００５】
（請求項１）請求項１記載の発明は、略Ｕ字形をなすことによって形成される挟み込み部１２へ薄物たる被クリップ体５０を挟み込み可能なクリップ本体１０と、そのクリップ本体１０の開口１１側が弧を描くように回動可能および回動停止可能であるように固定するクリップ固定体２０とで設けられてなるクリップ構造であって、前記クリップ固定体２０を一体または別体で一体に固定するクリップ被固定体４０が設けられると共に、前記クリップ本体１０がクリップ被固定体面に対し垂直な方向を支持軸として回動するように構成されてなるクリップ構造に係る。
【０００６】
（用語説明）被クリップ体５０とは、本発明に係るクリップ構造を備えたものが固定される対象である。具体的には、胸ポケット、シート状の部材（たとえば、メモ用紙、クリアファイル、ノートブックの表紙）、などである。
【０００７】
本発明に係るクリップ構造は、胸ポケットに入るような小物などに対して備えられ、機能する。その「小物」とは、クリップ被固定体４０であり、具体的には、胸ポケットの縁などにクリッピングしておくようなもの、代表的には、筆記用具類（更に詳しくはボールペン、シャープペン、万年筆など、あるいは万年筆などのキャップ）、携帯電話、ネームプレートなどである。
【０００８】
（作用）クリップ固定体２０は、クリップ本体１０の開口１１側が弧を描くように回動可能および回動停止可能であるように固定する。したがって、クリップ本体１０は、クリップ固定体２０に対して、開口１１側が弧を描くように回動させることができる。回動させた後に回動を停止させれば、開口１１の位置を適切な位置に移動させたうえで、被クリップ体５０を挟み込むことが可能となる。
【０００９】
クリップ固定体２０は、クリップ本体１０を介して被クリップ体５０へ固定されることを目的としたクリップ被固定体４０へ一体化させて形成することが可能である。
【００１０】
（作用）クリップ固定体２０は、クリップ被固定体４０へ一体化させて形成しているので、クリップ本体１０を被クリップ体５０へ固定すれば、クリップ被固定体４０は、被クリップ体５０へ固定されることとなる。
【００１１】
また、クリップ固定体２０は、クリップ本体１０を介して被クリップ体５０へ固定されることを目的としたクリップ被固定体４０とは別体にて形成するとともに、被クリップ体５０へ固定可能とすることが可能である。
【００１２】
（作用）クリップ固定体２０は、クリップ被固定体４０とは別体にて形成しているので、被クリップ体５０へ固定したいとするクリップ被固定体４０を選択することができる。
【００１３】
また、請求項１記載の発明は、クリップ固定体２０に対してクリップ本体１０は、標準の回動停止位置としての標準位置Ｐ１を備えるとともに、その標準位置Ｐ１に対して９０度および／または−９０度の回動が可能であるように形成したクリップ構造に係る。
【００１４】
（作用）本請求項に係るクリップ構造では、最も使用頻度の高い回動停止位置として標準位置Ｐ１を備えており、使い勝手がよい。また、回動させて使用するに際して、便利な回動角度として、標準位置Ｐ１に対して９０度および／または−９０度の回動が可能である。例えば、クリップ被固定体４０が筆記具、被クリップ体５０がノートブックであったとすると、標準位置Ｐ１から９０度、クリップ本体１０をクリップ固定体２０に対して回転させてからノートブックへクリッピングすれば、筆記具がノートブックから突出する寸法を減らすことができる。
【００１５】
なお、上記では、回動許容角度を限ったが、３６０度回転できるクリップ構造を提供することは当然可能である。例えば、クリップ被固定体４０が筆記具であり被クリップ体５０が衣服の襟元である場合、標準位置Ｐ１に対して１３５度あるいは−１３５度の角度とすれば、固定しやすく、見た目にも落ち着いた感じになる。
【００１６】
請求項２記載の発明は、請求項１に記載のクリップ構造を限定したものであり、クリップ固定体２０は、クリップ本体１０に対する回動停止位置を非連続であるように形成したクリップ構造に係る。
（用語説明）「回動停止位置が非連続である」とは、停止させることができる位置を所定箇所に予め定めてあり、当該所定箇所以外では停止させることができないようにしている。例えば、使用頻度の高い位置を予め停止位置とすることとして、使い勝手の向上を図る。
【００１７】
（作用）クリップ固定体２０は、クリップ本体１０に対する回動停止位置を非連続としたので、使用者は回動停止位置を選択すればよい。
【００１８】
請求項３記載の発明は、請求項１に記載のクリップ構造を限定したものであり、クリップ本体１０およびクリップ固定体２０には、何れか一方にギヤを、他方に前記ギヤの歯先と噛み合うギヤ受け部を設けることによって回動および回動停止を達成することとしたクリップ構造に係る。
【００１９】
（作用）ギヤおよびギヤ受け部によって回動機能および回動停止機能を達成するので、回動位置および回動停止位置を設計したり、組み立てたりすることが比較的簡易に達成できる。
【００２０】
また、請求項３記載の発明は、請求項１に記載のクリップ構造を限定したものであり、クリップ本体１０およびクリップ固定体２０は、互いの相対位置において、クリップ本体が回動可能な回動可能位置および着脱が可能な出入り位置を形成したクリップ構造に係る。
具体的には、クリップ本体１０またはクリップ固定体２０の何れか一方にギヤを、他方に前記ギヤの歯先と噛み合うギヤ受け部が設けられることによって回動および回動停止が達成されると共に、ギヤ受け部側には、ギヤを挿入可能なギヤ出入り孔（クリップ本体の着脱が可能な出入り位置）と、そのギヤ出入り孔に対して先軸側へ連続したギヤより小径のギヤ回動孔（クリップ本体が回動可能な回動可能位置）が設けられ、ギヤはギヤ出入り孔から挿入されてギヤ回動孔へ移動され、クリップ固定体２０に対してクリップ本体１０の抜出が防止される。
【００２１】
（作用）ギヤ受け部側には、ギヤを挿入可能なギヤ出入り孔と、そのギヤ出入り孔に対して先軸側へ連続したギヤより小径のギヤ回動孔が設けられ、ギヤはギヤ出入り孔から挿入され、ギヤ回動孔へ移動させることによって、ギヤがギヤ回動孔に位置した場合には抜出が防止される構造なので、組立てが容易で、相互の着脱が可能である。
【００２２】
【発明の実施の形態】
以下、本発明を実施の形態及び図面に基づいて、更に詳しく説明する。ここで使用する図面は、図１乃至図２０である。図１から図１０にて、クリップが回動する実施形態について説明し、図１１から図２０にて、クリップの把持力を調整できる実施形態について説明する。
【００２３】
（図１）図１に示すのは、本発明の第一の実施例を示す全体図であり、（ａ）は正面図、（ｂ）は側面図である。本実施形態におけるクリップ被固定体４０は、ノック式ボールペンである。このボールペン（４０）は、先口４１、先軸４２、後軸４３、ノック部４４を備えて構成されている。そして、後軸４３には、後軸４３の外径寸法を内径寸法とするリング形状をなすクリップ固定体２０が固定され、そのクリップ固定体２０を介してクリップ本体１０が固定される。なお、本発明は、先軸４２と後軸４３とを相対的に回転させたり、あるいはノック部４４と後軸４３とを相対的に回転させることでペン先を繰り出す繰り出し式の筆記具においても採用可能である。クリップ固定体２０には、ボールペン（４０）の軸方向に直角な貫通孔をなす紐用リング２９が一体形成されている。この紐用リング２９には紐などを通し、ボールペン（４０）を首へ吊り下げたりすることが可能となる。
【００２４】
クリップ本体１０は、略Ｕ字形をなすことによって形成される挟み込み部１２へ薄物たる被クリップ体５０、例えば胸ポケットを挟み込み可能な部材である。  具体的には、後軸４３に沿う固定片１３と、被クリップ体５０を挟み込むために開口１１を開閉する移動片１４とによって略Ｕ字形をなしている。なお、移動片１４における根元付近には、クリップ固定体２０とは反対方向に向かって突出する突起１５が設けられている。
【００２５】
クリップ本体１０における固定片１３の根元付近には、調整体３０がクリップ本体１０を跨いで回動可能に固定されている。この調整体３０は、クリップ本体１０に対する位置を変更することによって、クリップ本体１０における挟み込む力を調整するものである。具体的には、クリップ本体１０における突起１５よりも根元側に位置する際には、移動片１４に対して何らの力も与えないが、突起１５を乗り越えた位置においては移動片１４を弾性変形させて固定片１３へ近づける。この際、移動片１４が既に弾性変形して挟み込み部１２を狭めることとなる。また、調整体３０が突起１５を乗り越えた後は、移動片１４が弾性変形することができる範囲は、調整体３０が突起１５を乗り越える前よりも短くなる。このため、調整体３０が突起１５を乗り越えた後は、開口１１における移動片１４がたわみにくくなる。したがって、調整体３０が突起１５を乗り越えさせた場合には、乗り越える前に比べて、同一厚さの被クリップ体５０を挟んだ場合におけるクリップ本体１０の把持力が大きくなる。
【００２６】
（図２）図２に示すのは、第一の実施形態におけるクリップ本体１０およびクリップ固定体２０の組立斜視図である。調整体３０は、略コ字形をなし、そのコ字形の開口部分には向かい合う回動用突起３２を備えている熱可塑性樹脂製の成形品である。そのため、ある程度の弾性変形が可能である。クリップ本体１０の固定片１３側には、調整体３０の回動用突起３２を挿入して回動可能とする孔である調整体取付部１６を備えている。調整体３０を弾性変形させてその回動用突起３２を調整体取付部１６へ挿入し、調整体３０が回動可能となる。
【００２７】
クリップ本体１０の固定片１３側における開口１１側には、クリップ本体１０をクリップ固定体２０に対して回動させるためのギヤ１７を固定している。クリップ固定体２０には、クリップ本体１０を支持する箱状のクリップ支持箱２１を備えている。そのクリップ支持箱２１には、前記ギヤ１７を挿入可能なギヤ出入り孔２２と、そのギヤ出入り孔２２に対して先軸４２側へ連続したギヤ回動孔２３とを備えている。クリップ固定体２０のギヤ１７は、ギヤ出入り孔２２から挿入し、ギヤ回動孔２３へ移動させる。ギヤ回動孔２３はギヤ１７よりも小さく、ギヤ回動孔２３に位置した場合には抜け出ることはない。
【００２８】
クリップ支持箱２１の反先軸４２側には、図示できていないがスリット状の孔が設けられている。そのスリット状の孔に対し、装着可能な略Ｃ字形をなすギヤ受けリング２５を装着する。ギヤ受けリング２５の開口部分と反対側には、ギヤ１７のギヤ歯型に合致したギヤ受け部２５ａを備えている。また、ギヤ受けリング２５の開口端部には、スリット状の孔へ一旦装着したら簡単には外れないようにするため、直角をなす切り欠き部たる固定体固定部２５ｂを備えている。
【００２９】
（図３）図３は、図２に示したギヤ１７およびギヤ受けリング２５の位置関係を示す断面図である。ギヤ１７は、図２に示したギヤ出入り孔２２から挿入され、ギヤ回動孔２３の直下へ収まっている。そこへギヤ受けリング２５をスリット孔から装着し、固定体固定部２５ｂがスリット孔の端部へ噛み合う。それによって、ギヤ１７がギヤ出入り孔２２へ移動することを防ぐとともに、回動可能および回動停止可能であるように固定するのである。
【００３０】
ギヤ１７は、全周均等に八つの歯先１７ａを備えているが、ギヤ受けリング２５にはその歯先１７ａに合致する凹部たるギヤ受け部２５ａを備えている。そのギヤ受け部２５ａと歯先１７ａのひとつが噛み合い、ギヤ１７は回動停止が可能となる。また、クリップ本体１０へギヤ受け部２５ａを乗り越えるほどの力を加えると、ギヤ受けリング２５が弾性変形して回動が可能となり、次の歯先１７ａとギヤ受け部２５ａとが噛み合うことで回動は停止される。
【００３１】
ギヤ１７は八つの歯先１７ａを備えているので、歯先１７ａがひとつ移動するとクリップ本体１０は、クリップ固定体２０に対して４５度回動することとなる。なお、ギヤについては、八つの歯先１７ａを備えているとして本実施形態を説明したが、四歯、六歯、十二歯などとしても良いし、９０度から−９０度などと特定角度までしか回動しないようなギヤとしても良い。
【００３２】
（図４）図４は、クリップ本体１０を標準位置（Ｐ１）から−９０度回転させた状態を示した図であり、（ａ）は上面図、（ｂ）は正面図である。標準位置（Ｐ１）から−９０度回転させた状態とした場合において、被クリップ体５０を縦方向に開き軸のある手帳の表紙とすれば、手帳から筆記具４０が突出する寸法を、通常のクリップ付き筆記具に比べて小さく抑えることができる。なお、（ｂ）においては、調整体３０がクリップ本体１０における突起部１５を乗り越える前の状態を、一部断面図として示している。
【００３３】
（図５）図５は、クリップ固定体２０とクリップ本体１０との取付関係を示す断面図であり、調整体３０およびノック部４４のバリエーションを示している。  まず、調整体３０がノック部４４にまで達することができるように、クリップ本体１０のプロポーションを変更している。また、ノック部４４には、調整体３０が位置した場合にノック部４４を進退させないようにするためのロック用窪み４４ａを設けている。このような構成の変更によって、調整体３０はノック部４４へ達するポジションをとることができ、且つノック部４４を進退させないようにすることができる。そのため、筆記具のペン先が露出せず、ペン先からインクが漏れたりするといったことを防止し、収納時の安全性を確保できる。
【００３４】
（図６〜図７）図６は、クリップ固定体２０とクリップ本体１０との取付関係を示すための一部拡大断面図である。また、図７は、クリップ固定体２０の平面図である。図６に示すように、ギヤ出入り孔２２およびギヤ回動孔２３の内側には、ギヤ１７およびギヤ受けリング２５が噛み合う空間として、クリップ支持箱２１の内部空間たるギヤ空間２１ａが設けられている。また、ノック部４４を取り付けるための筒体であるキャップ取付部４５、およびそのキャップ取付部４５の内部空間として消しゴムなどを収納するための収納部４６を備えている。キャップ取付部４５の筒体の外周部分には、ノック部４４などを圧入固定するため、凹凸を形成している。本実施形態においては、クリップ固定体２０とクリップ被固定体、すなわち筆記具４０とは、一部を一体に形成したものとして説明した。しかし、クリップ固定体２０とクリップ被固定体４０とを別体で形成することも、当然可能である。
【００３５】
（図８）図８は、第二の実施形態を示す組立斜視図である。ここで（ａ）はクリップ本体１０およびクリップ固定体２０の組立状体を示す斜視図、（ｂ）は、クリップ本体１０の裏側を示す斜視図である。第一の実施形態では、クリップ本体１０にギヤ１７を、クリップ固定体２０にギヤ受け部２５ａをそれぞれ備えていたが、第二の実施形態では、クリップ本体１０にギヤ受け部１８を、クリップ固定体２０にギヤ２７をそれぞれ備えることとしている。
【００３６】
まず、クリップ固定体２０には、第一の実施形態にて採用していたクリップ支持箱２１、ギヤ受けリング２５などの代わりに、ボタン状の抜け止め部２６およびその抜け止め部の脚部分に形成したギヤ２７を備えている。一方、クリップ本体１０の固定片１３には、ギヤ１７の代わりに、ギヤ受け部１８を備えている。このギヤ２７の厚みは、クリップ本体１０の固定片１３の厚みと同一である。
【００３７】
ギヤ受け部１８は、抜け止め部２６を貫通させることができる出入り孔１８ａと、ギヤ２７に噛み合う出入り孔１８ａよりも小さなギヤ受け孔１８ｂとを連続して形成することによって瓢箪状をなしている。出入り孔１８ａとギヤ受け孔１８ｂとの境目付近に形成された凸部は、ギヤ２７における歯と歯の間と噛み合う。またギヤ受け孔１８ｂの反出入り孔１８ａ側には、ギヤ２７をギヤ受け孔１８ｂへ装着する際に、ギヤ受け孔１８ｂを弾性変形させて一時的に拡開させるための拡開用スリット１８ｃを備えている。
【００３８】
次に、クリップ本体１０とクリップ固定体２０との組立手順、および使用法について説明する。抜け止め部２６を出入り孔１８ａから通したら、ギヤ２７をギヤ受け孔１８ｂへ移動させる。その際、ギヤ２７よりも小さなギヤ受け孔１８ｂは、拡開用スリット１８ｃの存在によって弾性変形して一時的に拡開することができる。そして、出入り孔１８ａとギヤ受け孔１８ｂとの間の凸部が、ギヤ２７における歯と歯の間と噛み合うこととなる。ギヤ２７とギヤ受け孔１８ｂとが噛み合った状態では、クリップ本体１０はクリップ固定体２０に対して停止しているが、クリップ本体１０に対して回動させる力を加えると、拡開用スリット１８ｃの存在によって弾性変形して一時的にギヤ受け孔１８ｂが拡開し、ギヤ２７の歯先一つ分の回動が起きる。
【００３９】
（図９）図９には、被クリップ体５０をノートブックとし、クリップ被固定体４０を筆記具とした場合を斜視図にて示している。ノートブックの表紙が比較的厚くてもクリッピングすることができるとともに、クリップ本体１０を９０度回転させれば邪魔にならない位置に固定することができ、筆記具（４０）およびノートブック（５０）が持ち運びなどにおいて一体化している。
【００４０】
（図１０）図１０には、クリップ被固定体４０をネームプレートとした場合を斜視図にて示している。従来のネームプレートは、上着などの胸ポケットに装着することのみしか考えられておらず、胸ポケットのない服を着用していることの多い者（特に女性）は、襟元へ斜めに装着したりしていた。しかし、本実施形態によれば、クリップ本体１０をネームプレート（４０）に対して回転させることができるので、上記のような不具合はない。
【００４１】
以下の実施形態は、クリップの把持力を調整できるクリップ構造に関する実施形態である。
（図１１）図１１に示す実施形態は、筆記具用キャップ４７の後端部に取り付けられるクリップ本体１０の把持力を調整可能なクリップ構造であり、その把持力の調整は、調整体３０によって行われる。その調整体３０は、まず棒状のクリップ本体当接部３１と、そのクリップ本体当接部３１の両端から連続して一体化している略Ｕ字形をなす２本の支持脚３３，３３と、それら支持脚３３，３３におけるクリップ本体当接部３１と反対側において向かい合う２つの円筒形の回動用突起３２，３２とを備える。この材質は熱可塑性樹脂であり、適度に弾性変形が可能である。
【００４２】
調整体３０は、また、筆記具用キャップ４７におけるクリップ本体１０の根元側に、回動用突起３２，３２をはめ込み可能な二つの調整体取付部１６（反対側は図示できず）を、クリップ本体１０の幅方向と平行な位置に備えている。なお、筆記具用キャップ４７の後端部に取り付けられるクリップ本体１０は、根元付近を外側へ湾曲して膨らませた形状をなしている。
【００４３】
そして、調整体３０は、支持脚３３，３３を弾性変形の限度内で拡開させて回動用突起３２，３２の間隔を広げ、筆記具用キャップ４７に設けられた調整体取付部４８，４８へ挿入させることによって、筆記具用キャップ４７に取り付ける。すると、クリップ本体当接部３１は、前述の調整体取付部１６を回動の支点（回動支点）として回動可能となる。
【００４４】
（図１２）続いて、図１２を用いて、クリップ本体１０と調整体３０との位置関係、寸法関係などを説明することによって、把持力の調整について説明する。まず、クリップ本体当接部３１がクリップ本体１０とは接していない状態をフリーポジションＱ０とし、クリップ本体１０における湾曲した部位１９を乗り越えた状態をパワーポジションＱ２とする。そして、フリーポジションＱ０におけるクリップ本体当接部３１と調整体取付部１６，１６との回動半径ａと、パワーポジションＱ２におけるクリップ本体当接部３１と調整体取付部１６，１６との長さｂとは、ａ＜ｂ  の関係となるように、クリップ本体１０および調整体３０の形状や寸法が決定されている。すなわち、パワーポジションＱ２においては、調整体３０の支持脚３３，３３は弾性変形限度内で拡開する。
【００４５】
まず、調整体３０のクリップ本体当接部３１は、クリップ本体１０とは接していない、フリーポジションＱ０に位置させる。そして、クリップ本体１０は、その開口１１側から被クリップ体５０であるポケット（５０）へ差し込み、クリップ本体１０と筆記具用キャップ４７との間に形成される挟み込み部１２へポケット（５０）を挟み込む。続いて、調整体３０のクリップ本体当接部３１をフリーポジションＱ０から、クリップ本体１０における湾曲した当接部位１９を乗り越えたパワーポジションＱ２の位置へ回動させる。調整体３０が当接部位１９を乗り越えた後は、クリップ本体１０が弾性変形することができる範囲は、調整体３０が当接部位１９を乗り越える前よりも短くなる。このため、調整体３０が当接部位１９を乗り越えた後は、開口１１におけるクリップ本体１０がたわみにくくなる。したがって、調整体３０が当接部位１９を乗り越えさせた場合には、乗り越える前に比べて、同一厚さの被クリップ体５０を挟んだ場合におけるクリップ本体１０の把持力が大きくなる。そのために把持力が増加し、筆記具用キャップ４７をポケット（５０）へより確実に固定できるようになる。
【００４６】
（図１３）図１３は、フリーポジションＱ０とパワーポジションＱ２との中間にハーフポジションＱ１を設け、そのハーフポジションＱ１へクリップ本体当接部３１を位置させた様子を示している。ハーフポジションＱ１におけるクリップ本体当接部３１と調整体取付部１６，１６との回動半径は、パワーポジションＱ２のそれよりも小さく、把持力の増加はパワーポジションＱ２よりも小さい。したがって、図１３に示すように、図１２の場合よりも厚いポケット（５０）へ挟み込む場合などに適している。
【００４７】
（図１４）図１４に示すのは、被クリップ体５０が手帳などの厚いものであり、とくに把持力の増加が不要な場合である。すなわち、クリップ本体当接部３１を回動させず、フリーポジションＱ０の位置のままにしておけばよい。なお、クリップ被固定体４０がその後軸４３にノック部４４を備えているボールペンやシャープペンシルの場合には、このクリップ本体当接部３１がフリーポジションＱ０の位置にあることで、ノック部４４の進退を妨げるようにしている。これによって、ノック部４４のロック機構としても作用するため、不必要な場合に筆記具のペン先が露出することを未然に防止することも可能となる。
【００４８】
（図１５）図１５は、クリップ本体１０の湾曲する当接部位１９の幅方向へ波状の係止部１９ｂ，１９ｂ，・・を備える実施形態を示す。この係止部１９ｂ，１９ｂ，・・によって、クリップ本体当接部３１の当接位置を、回動後に確実に維持できるようになる。なお、係止部１９ｂはこの形状に限られるものではなく、例えば半球状のようなものを湾曲する当接部位１９上に設けて、係止部としてもよい。
【００４９】
（図１６）図１１等及び図１５にて示した実施形態では、調整体３０を被固定部材たる筆記具用キャップ４７へ取り付けたが、図１６に示す調整体３０は、略Ｕ字形のクリップ本体１０へ取り付けることに特徴がある。すなわち調整体３０は、２本の支持脚３３，３３とそれらの間に位置するクリップ本体当接部３１とによって略コ字形をなし、そのコ字形の開口部分には向かい合う回動用突起３２，３２を備える。この材質は、熱可塑性樹脂製の成形品である。
【００５０】
一方のクリップ本体１０は、幅広の薄板を変形させてＵ字形に形成したものであり、被固定部材へ固定される固定片１３と、被クリップ体５０を挟み込むために開口１１を開閉する移動片１４とによって略Ｕ字形をなしている。なお、移動片１４における根元付近には、クリップ固定体２０とは反対方向に向かって突出する突起１５が設けられている。調整体３０は、また、クリップ本体１０の固定片１３側に、調整体３０の回動用突起３２，３２を挿入して回動可能とする孔である調整体取付部１６（反対側は図示できず）を備えている。調整体３０は、弾性変形させてその回動用突起３２，３２を調整体取付部１６，１６へ挿入し、回動可能となる。
【００５１】
調整体３０を回動させることによってクリップ本体当接部３１が突起１５を乗り越えたポジションは、第一の実施形態にいう「パワーポジション」であり、クリップ本体１０を弾性変形させて挟み込み部１２を狭めることとなる。また、調整体３０が突起１５を乗り越えた後は、移動片１４が弾性変形することができる範囲は、調整体３０が突起１５を乗り越える前よりも短くなる。このため、調整体３０が突起１５を乗り越えた後は、開口１１における移動片１４がたわみにくくなる。したがって、調整体３０が突起１５を乗り越えさせた場合には、乗り越える前に比べて、同一厚さの被クリップ体５０を挟んだ場合におけるクリップ本体１０の把持力が大きくなる。なお、本実施形態のクリップ本体１０は、固定片１３の裏面にクリップ固定体２０としての両面テープ（２０）を取り付け、ペンケース（５０）などの任意の被クリップ体に対して、把持力調整可能なクリップ本体１０を設けることが可能なものである。
【００５２】
（図１７）図１７に示す実施形態は、調整体３０の取付部としてナット１６ａ、クリップ本体当接部として円盤状のボルト頭を設けたボルト３１ａ及びワッシャ３１ｂの組合せとしたものである。すなわち、雌ねじ部たるナット１６ａを備えた円筒状のクリップ固定体２０と、そのクリップ固定体２０へクリップ本体１０を固定するためのボルト３１ａ及びワッシャ３１ｂとを備えたものである。
【００５３】
また、略Ｕ字形をしたクリップ本体１０には、ボルト３１ａを挿入可能とするボルト孔１９ｃ、１９ｃを設ける。そして、そのボルト孔１９ｃ、１９ｃにワッシャ３１ｂを介在させてからボルト３１ａを挿入し、前記ナット１６ａと螺合させる。このボルト３１ａを深くねじ込むほど、把持力が増加する。なお、本実施形態の場合、ボルト３１ａを支軸として、クリップ本体１０の取付向きを、筆記具４０の長手方向に対して３６０度回転させることができる。すなわち、第四実施形態では、調整体３０を使って、略Ｕ字形クリップ本体１０の把持力の調整と、クリップ本体１０の取付向きの調整との２つの機能を有することができる。
【００５４】
（図１８）図１８に示す実施形態は、図１７に示す実施形態の調整体３０におけるボルトとナットとの組合せを逆にしたものである。すなわち、調整体３０の取付部としてボルト１６ｂ、クリップ本体当接部として円盤状のナット３１ｃ及びワッシャ３１ｄを備えたものである。クリップ本体１０には、その長手方向と垂直に交わるようにボルト１６ｂを挿入可能とするボルト孔１９ｃ、１９ｃを設ける。そして、そのボルト孔１９ｃ、１９ｃにワッシャ３１ｄを介在させてボルト１６ｂを挿入して、ナット３１ｃを螺合させる。このナット３１ｃの螺合具合で、略Ｕ字形クリップ本体１０の挟み込み部１２に挟まれた被クリップ体５０を把持する把持力を調整できる。すなわち、ナット３１ｃを深く螺合させるほど、把持力が増加する。なお、この実施形態も前述の実施形態と同じく、ボルト１６ｂを支軸として、クリップ本体１０の取付向きを、筆記具４０の長手方向に対して３６０度回転させることができる。
【００５５】
（図１９）図１９に示す実施形態は、前述した二つの実施形態と同じように、調整体３０としてボルトおよびナットの組合せを採用したものであるが、クリップ本体１０とそのクリップ本体１０を固定する筆記具４０との間に形成した挟み込み部１２によって被クリップ体５０を挟み込むクリップ構造である。すなわち、調整体３０の取付部としてボルト１６ｃ、クリップ本体当接部として円盤状のナット３１ｃ及びワッシャ３１ｄを備える。後の構成および作用については、前述した実施形態とほぼ同様であるので、詳しい説明を省略する。
【００５６】
（図２０）図２０は、ノック式ボールペンに採用されたクリップ構造の実施形態を示す全体図であり、（ａ）は正面図、（ｂ）は側面図である。このクリップ被固定体４０であるボールペン（４０）は、先口４１、先軸４２、後軸４３、ノック部４４を備えて構成されている。クリップ本体１０における後軸４３のノック部４４付近には、調整体３０がクリップ本体１０を跨いで回動可能に固定されている。この調整体３０は、クリップ本体１０に対する位置を変更することによって、クリップ本体１０における挟み込む力を調整するものであると同時に、必要に応じてノック部４４を進退不能とすることができるものである。
【００５７】
本実施形態におけるノック式ボールペン（４０）は、先軸４３をくびれた形状とするとともに、先軸４２と先口４１との間に径の大きな環状部４１ａを設けている。その環状部４１ａは、中央付近を最も大径とし、先口４１側に向かって径を減少させるテーパを形成している。このように形成することによって、筆記時の滑りを防止して握りを安定させることに寄与する。さて、前述の環状部４１ａは、透明な材質を採用している。先軸４３が太いために筆記時にペン先が見にくいという不具合を軽減するため、およびインク残量の認識を可能とするためである。
【００５８】
【発明の効果】
請求項１から請求項３記載の発明によれば、クリップの向きを回転させて使用可能なクリップ構造に関する技術を提供することができた。
【図面の簡単な説明】
【図１】  第一の実施形態を示す全体図である。
【図２】  第一の実施形態におけるクリップ本体およびクリップ固定体の組立斜視図である。
【図３】  図２に示したギヤおよびギヤ受けリングの位置関係を示す断面図である。
【図４】  クリップ本体を標準位置から−９０度回転させた状態を示した図である。
【図５】  クリップ固定体とクリップ本体との取付関係を示す断面図である
【図６】  クリップ固定体とクリップ本体との取付関係を示す一部拡大断面図である。
【図７】  クリップ固定体の平面図である。
【図８】  第二の実施形態を示す組立斜視図である。
【図９】  被クリップ体をノートブックとした場合を示す斜視図である。
【図１０】  クリップ被固定体をネームプレートとした場合を示す組立斜視図である。
【図１１】  クリップの把持力を調整可能な実施形態を示す説明用斜視図である。
【図１２】  クリップの把持力を調整可能な実施形態の使用状態を示す説明図である。
【図１３】  クリップの把持力を調整可能な実施形態の使用状態を示す説明図である。
【図１４】  クリップの把持力を調整可能な実施形態の使用状態を示す説明図である。
【図１５】  クリップ本体の係止場所を複数備えた実施形態を示す説明用斜視図である。
【図１６】  調整体を略Ｕ字形のクリップ本体へ取り付けるの実施形態を示す説明用斜視図である。
【図１７】  調整体としてボルトおよびナットの組合せを採用した実施形態を示す説明用斜視図である。
【図１８】  調整体としてボルトおよびナットの組合せを採用した実施形態を示す説明用斜視図である。
【図１９】  調整体としてボルトおよびナットの組合せを採用した実施形態を示す説明用斜視図である。
【図２０】  ノック式ボールペンに採用されたクリップ構造の実施形態を示す説明用三面図である。
【符号の説明】
１０    クリップ本体
１１    開口
１２    挟み込み部
１３    固定片
１４    移動片
１５    突起部
１６    調整体取付部
１７    ギヤ
１７ａ  歯先
１８    ギヤ受け部
１８ａ  出入り孔
１８ｂ  ギヤ受け孔
１８ｃ  拡開用スリット
１９    当接部位
１９ｂ  係止部
１９ｃ  ボルト孔
２０    クリップ固定体
２１    クリップ支持箱
２１ａ  ギヤ空間
２２    ギヤ出入り孔
２３    ギヤ回動孔
２５    ギヤ受けリング
２５ａ  ギヤ受け部
２５ｂ  固定体固定部
２６    抜け止め部
２７    ギヤ
２９    紐用リング
３０    調整体
３１    クリップ本体当接部
３２    回動用突起
３３    支持脚
３４    端部
４０    クリップ被固定体（筆記具、ネームプレート）
４１    先口
４１ａ  環状部
４２    先軸
４３    後軸
４４    ノック部
４４ａ  ロック用窪み
４５    キャップ取付部
４６    収納部
４７    筆記具用キャップ
４８    軸穴
５０    被クリップ体（ポケット、ノートブック）
６１    軸穴
６２    ボルト孔
Ｐ１    標準位置
Ｑ０    フリーポジション
Ｑ１    ハーフポジション
Ｑ２    パワーポジション
【図１】
0003933461.tif 000002
【図２】
0003933461.tif 000003
【図３】
0003933461.tif 000004
【図４】
0003933461.tif 000005
【図５】
0003933461.tif 000006
【図６】
0003933461.tif 000007
【図７】
0003933461.tif 000008
【図８】
0003933461.tif 000009
【図９】
0003933461.tif 000010
【図１０】
0003933461.tif 000011
【図１１】
0003933461.tif 000012
【図１２】
0003933461.tif 000013
【図１３】
0003933461.tif 000014
【図１４】
0003933461.tif 000015
【図１５】
0003933461.tif 000016
【図１６】
0003933461.tif 000017
【図１７】
0003933461.tif 000018
【図１８】
0003933461.tif 000019
【図１９】
0003933461.tif 000020
【図２０】
0003933461.tif 000021